(57)【要約】【課題】複数のユーザにコンテンツを提供することに適したコンテンツ提供システムを提供すること。【解決手段】本技術に係るコンテンツ提供システムは、送信装置と、制御装置と、複数の受信装置とを備える。送信装置は、ブロードキャスト方式でトリガ信号を送信する。制御装置は、送信装置を制御する。複数の受信装置は、それぞれが、トリガ信号を受信する信号受信部と、コンテンツを記憶する記憶部と、コンテンツをユーザに提示するコンテンツ提示部と、トリガ信号に基づいてコンテンツ提示部を制御する制御部とを備える。【選択図】図１
2018061528.tif 000002
【特許請求の範囲】
【請求項１】
ブロードキャスト方式でトリガ信号を送信する送信装置と、
前記送信装置を制御する制御装置と、
それぞれが、前記トリガ信号を受信する信号受信部と、コンテンツを記憶する記憶部と、前記コンテンツをユーザに提示するコンテンツ提示部と、前記トリガ信号に基づいて前記コンテンツ提示部を制御する制御部とを備える複数の受信装置と
を具備するコンテンツ提供システム。
【請求項２】
請求項１に記載のコンテンツ提供システムであって、
前記制御装置は、第１の再生時刻から前記コンテンツの再生を開始させる第１のトリガ信号を第１の時刻に送信し、第２の再生時刻から前記コンテンツの再生を開始させる第２のトリガ信号を第２の時刻に送信するように前記送信装置を制御し、
前記第１の再生時刻と前記第２の再生時刻の時間差は、前記第１の時刻と前記第２の時刻の時間差と同一である
コンテンツ提供システム。
【請求項３】
請求項１に記載のコンテンツ提供システムであって、
前記コンテンツは触覚コンテンツであり、
前記制御装置は、ユーザに映像コンテンツ及び音響コンテンツの少なくともいずれかを提供し、前記映像コンテンツ及び音響コンテンツの少なくともいずれかと前記触覚コンテンツを同期させるように前記送信装置を制御する
コンテンツ提供システム。
【請求項４】
請求項１に記載のコンテンツ提供システムであって、
前記送信装置は、前記トリガ信号を電磁波の放射によって送信する
コンテンツ提供システム。
【請求項５】
請求項４に記載のコンテンツ提供システムであって、
前記送信装置は、前記トリガ信号を赤外線の放射によって送信する
コンテンツ提供システム。
【請求項６】
請求項１に記載のコンテンツ提供システムであって、
ブロードキャスト方式でトリガ信号を送信する複数の送信装置を備え、
前記制御装置は、前記複数の送信装置の間で前記トリガ信号が送信される時刻が異なるように前記複数の送信装置を制御する
コンテンツ提供システム。
【請求項７】
請求項６に記載のコンテンツ提供システムであって、
前記複数の送信装置は、第１の送信装置と第２の送信装置を含み、
前記制御装置は、第１の再生時刻から前記コンテンツの再生を開始させる第１のトリガ信号を第１の時刻に送信するように前記第１の送信装置を制御し、第２の再生時刻から前記コンテンツの再生を開始させる第２のトリガ信号を第２の時刻に送信するように前記第２の送信装置を制御し、
前記第１の再生時刻と前記第２の再生時刻の時間差は、前記第１の時刻と前記第２の時刻の時間差と同一である
コンテンツ提供システム。
【請求項８】
請求項１に記載のコンテンツ提供システムであって、
前記複数の受信装置は、それぞれが複数のコンテンツ提示部を備え、
前記コンテンツは、前記複数のコンテンツ提示部のそれぞれの動作タイミングを含み、
前記制御部は、前記トリガ信号に基づいて前記複数のコンテンツ提示部を制御する
コンテンツ提供システム。
【請求項９】
それぞれが、前記トリガ信号を受信する信号受信部と、コンテンツを記憶する記憶部と、前記コンテンツをユーザに提示するコンテンツ提示部と、前記トリガ信号に基づいて前記コンテンツ提示部を制御する制御部とを備える複数の受信装置にブロードキャスト方式でトリガ信号を送信する送信装置を制御する
制御装置。
【請求項１０】
ブロードキャスト方式で送信されたトリガ信号を受信する信号受信部と、
コンテンツを記憶する記憶部と、
前記コンテンツをユーザに提示するコンテンツ提示部と、
前記トリガ信号に基づいて前記コンテンツ提示部を制御する制御部と
を具備する受信装置。
【発明の詳細な説明】
【技術分野】
【０００１】
本技術は、複数のユーザにコンテンツを提供することが可能なコンテンツ提供システム、制御装置及び受信装置に関する。
【背景技術】
【０００２】
近年、映像や音響に合わせて触覚を提示するような新しいコンテンツの提示方法が注目されている。例えば、ユーザのそれぞれに触覚提示デバイスを所持させ、映像等を再生する制御装置から触覚の提示タイミングを個々の触覚提示デバイスに指示することにより、映像や音響の進行に応じてユーザに触覚を提示させることができる。【０００３】
従来、機器間の通信にはＷｉＦｉ等の双方向通信が多く用いられており（特許文献１参照）、双方向通信によって制御装置から触覚提示デバイスに触覚の提示タイミングを指示することが可能である。
【先行技術文献】
【非特許文献】
【０００４】
【特許文献１】特開２０１１−５９８２１
【発明の概要】
【発明が解決しようとする課題】
【０００５】
しかしながら、制御機器と触覚提示デバイスの間の通信を双方向通信によって行う場合、制御機器と各触覚提示デバイスの通信を確立する必要があり、触覚提示デバイスの数が多いほどシステムの負荷が大きい。また、双方向通信では制御機器と各触覚提示デバイスが順に通信を行うため、触覚提示デバイスの間で触覚の提示タイミングがずれてしまう。【０００６】
以上のような事情に鑑み、本技術の目的は、複数のユーザにコンテンツを提供することに適したコンテンツ提供システムを提供することにある。
【課題を解決するための手段】
【０００７】
上記目的を達成するため、本技術の一形態に係るコンテンツ提供システムは、送信装置と、制御装置と、複数の受信装置とを備える。
上記送信装置は、ブロードキャスト方式でトリガ信号を送信する。
上記制御装置は、上記送信装置を制御する。
上記複数の受信装置は、それぞれが、上記トリガ信号を受信する信号受信部と、コンテンツを記憶する記憶部と、上記コンテンツをユーザに提示するコンテンツ提示部と、上記トリガ信号に基づいて上記コンテンツ提示部を制御する制御部とを備える。【０００８】
この構成によれば、トリガ信号がブロードキャスト方式で送信され、受信装置によって受信されることにより、受信装置に記憶されたコンテンツがユーザに提示される。ブロードキャスト方式であるため、受信装置の数が多くてもシステム負荷が生じない。また、コンテンツは予め記憶部に記憶されており、コンテンツが送信装置から受信装置に送信される場合に比べて送信する情報量が少なくてよい。【０００９】
上記制御装置は、第１の再生時刻から上記コンテンツの再生を開始させる第１のトリガ信号を第１の時刻に送信し、第２の再生時刻から上記コンテンツの再生を開始させる第２のトリガ信号を第２の時刻に送信するように上記送信装置を制御し、
上記第１の再生時刻と上記第２の再生時刻の時間差は、上記第１の時刻と上記第２の時刻の時間差と同一であってもよい。【００１０】
この構成によれば、受信装置が第１のトリガ信号を受信できず、第２のトリガ信号を受信した場合に、第２の再生時刻からコンテンツの再生が開始される。第１の再生時刻と第２の再生時刻の時間差は、第１の時刻と第２の時刻の時間差と同一であるため、第１のトリガ信号を受信した受信装置と、第２のトリガ信号を受信した受信装置ではコンテンツの再生時刻が一致しており、複数の受信装置間での同期を実現することが可能である。【００１１】
上記コンテンツは触覚コンテンツであり、
上記制御装置は、ユーザに映像コンテンツ及び音響コンテンツの少なくともいずれかを提供し、上記映像コンテンツ及び音響コンテンツの少なくともいずれかと上記触覚コンテンツを同期させるように上記送信装置を制御してもよい。【００１２】
この構成によれば、映像コンテンツ及び音響コンテンツの少なくともいずれかと触覚コンテンツを同期させてユーザに提供することが可能となる。【００１３】
上記送信装置は、上記トリガ信号を電磁波の放射によって送信してもよい。【００１４】
上記送信装置は、上記トリガ信号を赤外線の放射によって送信してもよい。【００１５】
上記コンテンツ提供システムは、ブロードキャスト方式でトリガ信号を送信する複数の送信装置を備え、
上記制御装置は、上記複数の送信装置の間で上記トリガ信号が送信される時刻が異なるように上記複数の送信装置を制御してもよい。【００１６】
この構成によれば、複数の送信装置の間でのトリガ信号の干渉を防止することが可能となる。【００１７】
上記複数の送信装置は、第１の送信装置と第２の送信装置を含み、
上記制御装置は、第１の再生時刻から上記コンテンツの再生を開始させる第１のトリガ信号を第１の時刻に送信するように上記第１の送信装置を制御し、第２の再生時刻から上記コンテンツの再生を開始させる第２のトリガ信号を第２の時刻に送信するように上記第２の送信装置を制御し、
上記第１の再生時刻と上記第２の再生時刻の時間差は、上記第１の時刻と上記第２の時刻の時間差と同一であってもよい。【００１８】
この構成によれば、複数の送信装置の間でのトリガ信号の干渉を防止することが可能となると共に複数の受信装置間での同期を実現することが可能である。【００１９】
上記複数の受信装置は、それぞれが複数のコンテンツ提示部を備え、
上記コンテンツは、上記複数のコンテンツ提示部のそれぞれの動作タイミングを含み、
上記制御部は、上記トリガ信号に基づいて上記複数のコンテンツ提示部を制御してもよい。【００２０】
この構成によれば、コンテンツには複数のコンテンツ提示部のそれぞれの動作タイミングが含まれており、複数のコンテンツ提示部を異なる動作タイミングで動作させることが可能となる。本システムでは記憶部に予めコンテンツが記憶されているため、コンテンツ提示部の数が多くても容易に対応可能である。【００２１】
上記目的を達成するため、本技術の一形態に係る制御装置は、それぞれが、上記トリガ信号を受信する信号受信部と、コンテンツを記憶する記憶部と、上記コンテンツをユーザに提示するコンテンツ提示部と、上記トリガ信号に基づいて上記コンテンツ提示部を制御する制御部とを備える複数の受信装置にブロードキャスト方式でトリガ信号を送信する送信装置を制御する。【００２２】
上記目的を達成するため、本技術の一形態に係る受信装置は、信号受信部と、記憶部と、コンテンツ提示部と、制御部とを備える。
上記信号受信部は、ブロードキャスト方式で送信されたトリガ信号を受信する。
上記記憶部は、コンテンツを記憶する。
上記コンテンツ提示部は、上記コンテンツをユーザに提示する。
上記制御部は、上記トリガ信号に基づいて上記コンテンツ提示部を制御する。
【発明の効果】
【００２３】
以上、本技術によれば、複数のユーザにコンテンツを提供することに適したコンテンツ提供システムを提供することができる。なお、ここに記載された効果は必ずしも限定されるものではなく、本開示中に記載されたいずれかの効果であってもよい。
【図面の簡単な説明】
【００２４】
【図１】本技術の実施形態に係るコンテンツ提供システムの模式図である。
【図２】同コンテンツ提供システムのブロック図である。
【図３】同コンテンツ提供システムが備える受信装置の模式図である。
【図４】同コンテンツ提供システムが備える受信装置に記憶されている触覚コンテンツの例である。
【図５】同コンテンツ提供システムが備える送信装置から送信されるトリガ信号の例である。
【図６】同コンテンツ提供システムが備える送信装置から送信されるトリガ信号の例である。
【図７】同コンテンツ提供システムが備える受信装置の模式図である。
【図８】同コンテンツ提供システムが備える受信装置に記憶されている触覚コンテンツの例である。
【図９】同コンテンツ提供システムが備える受信装置に記憶されている触覚コンテンツの例である。
【図１０】同コンテンツ提供システムが備える送信装置から送信されるトリガ信号の例である。
【図１１】同コンテンツ提供システムが備える送信装置から送信されるトリガ信号の例である。
【図１２】同コンテンツ提供システムが備える制御装置のハードウェア構成を示すブロック図である。
【発明を実施するための形態】
【００２５】
［コンテンツ提供システムの構成］
本実施形態に係るコンテンツ提供システムについて説明する。図１は本実施形態に係るコンテンツ提供システム１００の模式図であり、図２はコンテンツ提供システム１００のブロック図である。
【００２６】
図１に示すように、コンテンツ提供システム１００は、制御装置１０１、送信装置１０２、受信装置１０３、スクリーン１０４、プロジェクタ１０５及びスピーカ１０６を備える。同図においてユーザＵにはそれぞれ受信装置１０３が装着されている。
【００２７】
制御装置１０１は、図１２に示すように処理部（プロセッサやメモリを含む回路等）を含み、送信装置１０２、プロジェクタ１０５及びスピーカ１０６に接続され、これらを制御する。具体的には制御装置１０１の処理部は、トリガ信号を生成して送信装置１０２に供給する。トリガ信号は、後述する受信装置１０３において、コンテンツの再生開始タイミングを指示する信号である。また、制御装置１０１の処理部は、プロジェクタ１０に映像信号を供給し、スピーカ１０６に音響信号を供給する。制御装置１０１は例えばパーソナルコンピュータである。
【００２８】
送信装置１０２は、制御装置１０１の処理部から供給されたトリガ信号をブロードキャスト方式によって送信する。図１には送信装置１０２から送信されたトリガ信号Ｔを示す。送信装置１０２はトリガ信号として電磁波を放射することが可能な電磁波放射装置とすることができる。電磁波は例えば、赤外線、可視光又は電波等である。送信装置１０２は、図１に示すように複数が設けられるものとすることができるが、一つのみが設けられてもよい。送信装置１０２は、送信回路及び放射器によって構成されている。送信回路は例えば変調回路やＤ／Ａコンバーターを含む回路である。放射器は例えば、赤外線を放出する場合には赤外線発光ダイオードであり、電波を放出する場合には送信アンテナである。
【００２９】
受信装置１０３は送信装置１０２から送信されたトリガ信号を受信し、ユーザにコンテンツを提示する。図２に示すように、受信装置１０３は、信号受信部１１１、信号解析部１１２、記憶部１１３、制御部１１４及び触覚提示部１１５を備える。
【００３０】
図３は、受信装置１０３の模式図である。同図に示すように受信装置１０３は、信号受信部１１１と複数の触覚提示部１１５備えたハプティックジャケットとすることができる。信号受信部１１１と触覚提示部１１５の数や配置は特に限定されない。なお、受信装置１０３はハプティックジャケットに限られず、ＨＭＤ（Head Mounted Display）等のユーザが装着することが可能な装置であればよい。
【００３１】
信号受信部１１１は、送信装置１０２から送信されるトリガ信号を受信する。信号受信部１１１は例えば赤外線センサとすることができる。信号受信部１１１は図３に示すように、ユーザの肩の上等のトリガ信号を受信しやすい位置に配置される。
【００３２】
信号解析部１１２は、信号受信部１１１が受信したトリガ信号を解析し、解析結果を制御部１１４に供給する。信号解析部１１２は各種プロセッサ等を含み、１又は複数の回路により構成されている。
【００３３】
記憶部１１３は、ユーザに提供される触覚コンテンツを記憶する。図４は、記憶部１１３が記憶する触覚コンテンツの例であり、再生時刻と触覚提示時間（図中、黒線）を示すグラフである。触覚提示時間はユーザに触覚が提示される時間である。触覚は例えば振動であるが、熱であってもよい。また、触覚コンテンツは、再生時刻に応じた振動の強度や発熱温度等の情報を含んでいてもよい。記憶部１１３は例えばフラッシュメモリ等の不揮発性メモリである。
【００３４】
制御部１１４は、記憶部１１３に記憶されている触覚コンテンツを読み出し、信号解析部１１２から供給されたトリガ信号の解析結果に基づいて触覚コンテンツの再生時刻を決定する。制御部１１４は決定した再生時刻から触覚コンテンツを再生するように触覚提示部１１５に指示する。この詳細については後述する。制御部１１４は各種プロセッサ等を含み、１又は複数の回路により構成されている。
【００３５】
触覚提示部１１５は、制御部１１４による制御を受けて触覚をユーザに提示する。触覚提示部１１５は偏心モータやアクチュエータ等の振動発生機構や発熱機構等のユーザに触覚を提示できるものであればよい。
【００３６】
［コンテンツ提供システムの動作］
制御装置１０１の処理部は、コンテンツの提供を開始すると、映像信号をプロジェクタ１０５に供給し、音響信号をスピーカ１０６に供給する。これにより、スクリーン１０４に映像が投影され、スピーカ１０６から音声が再生される。
【００３７】
制御装置１０１の処理部は、映像及び音声の再生開始と共に、又は再生の進行に伴ってトリガ信号を生成し、各送信装置１０２に供給する。制御装置１０１の処理部は、提供されるコンテンツが動画の場合には動画の再生開始時や再生開始から一定時間経過毎にトリガ信号を生成することができる。また、制御装置１０１の処理部は提供されるコンテンツがゲーム等の場合には、特定のシーン（例えば爆発シーン）に応じてトリガ信号を生成することができる。制御装置１０１の処理部は、映像及び音声のうち少なくともいずれか一方とトリガ信号を同期させるものとすることができる。各送信装置１０２はトリガ信号が供給されると、赤外線の放射等によってトリガ信号を送信する。
【００３８】
受信装置１０３の信号受信部１１１がトリガ信号を受信すると、制御部１１４は信号解析部１１２から供給される解析結果を受けて記憶部１１３に記憶されている触覚コンテンツを読み出し、制御信号を触覚提示部１１５に供給する。触覚提示部１１５は制御部１１４から供給された制御信号に従って振動等を発生させ、ユーザに触覚を提示する。
【００３９】
各ユーザに装着されている受信装置１０３はそれぞれ同様に動作し、複数のユーザに同一のタイミングで触覚が提示される。例えば、図４において、再生時刻ｔ０がトリガ信号に含まれている場合、トリガ信号を受信したそれぞれの受信装置１０３において再生位置ｔ０から触覚コンテンツの再生が開始される。
【００４０】
この方式の場合には、送信装置１０２は受信装置１０３のそれぞれと双方向通信を確立する必要がなく、受信装置１０３の数に係わらず送信装置１０２や制御装置１０１に負荷が生じない。また、双方向通信の場合では送信装置と各受信装置が順に通信を行うことによって同期ずれが生じるが、このような同期ずれも発生しない。したがって、コンテンツ提供システム１００は、多数のユーザ（例えば５００人）にも容易に対応が可能となる。
【００４１】
［再生シークについて］
制御装置１０１の処理部は上記のようにトリガ信号を送信装置１０２に供給し、送信装置１０２から受信装置１０３に送信させる。ここで、制御装置１０１の処理部は、次のようにしてトリガ信号を送信させてもよい。
【００４２】
図５はトリガ信号の送信時刻とトリガ信号に含まれる再生時刻の例を示す模式図である。同図に示すように、制御装置１０１の処理部は、時刻０ｍｓにはトリガ信号ｔ０を送信装置１０２から送信させ、時刻１００ｍｓにはトリガ信号ｔ１を送信装置１０２から送信させる。以下同様に、制御装置１０１の処理部は１００ｍｓ毎にトリガ信号を送信装置１０２から送信させる。
【００４３】
トリガ信号ｔ０にはシーク０ｍｓ、即ち触覚コンテンツの再生開始時刻（０ｍｓ）から再生を開始するという指示が含まれている（図４参照）。トリガ信号ｔ１にはシーク１００ｍｓ、即ち再生開始時刻（０ｍｓ）から１００ｍｓ後の再生位置から再生を開始するという指示が含まれている（図４参照）。以下同様に、各トリガ信号には送信装置１０２から送信されるトリガ信号の送信時刻と同一のシーク位置が含まれている。なお、トリガ信号の送信間隔は１００ｍｓに限られず、適宜変更可能である。
【００４４】
このように、送信装置１０２からは一定時間（ここでは１００ｍｓ）毎にトリガ信号が送信される。受信装置１０３はトリガ信号を受信するが、受信装置１０３と送信装置１０２の位置関係あるいは角度等によってトリガ信号を受信できない場合がある。このような場合でも送信装置１０２からは一定時間毎にトリガ信号が送信されているため、いずれはトリガ信号を受信することができる。
【００４５】
受信装置１０３では信号受信部１１１がトリガ信号を受信すると、信号解析部１１２はトリガ信号に含まれているシーク位置を解析し、制御部１１４に供給する。制御部１１４はトリガ信号に含まれているシーク位置から触覚コンテンツの再生を開始する。例えば、受信装置１０３がトリガ信号ｔ０を受信できず、トリガ信号ｔ１を受信した場合（図４参照）、制御部１１４はシーク１００ｍｓ、即ち触覚コンテンツの再生開始時刻から１００ｍｓ後の再生時刻から触覚コンテンツの再生を開始する。また、制御部１１４は一度トリガ信号を受信した後には以降に受信したトリガ信号は無視する。
【００４６】
これにより、受信装置１０３がトリガ信号を受信できなかった場合も次のトリガ信号を受信することができる。また、そのトリガ信号にはトリガ信号の送信時刻と同一のシーク位置が含まれているため、トリガ信号の受信の遅れは再生時刻のシークにより解消され、他のユーザが装着している受信装置１０３との触覚コンテンツの再生タイミングは同一となる。
【００４７】
なお、各トリガ信号に含まれるシーク位置はトリガ信号の送信時刻と異なってもよい。例えば、時刻１００ｍｓに送信されるトリガ信号にシーク２００ｍｓという指示が含まれ、時刻２００ｍｓに送信されるトリガ信号にシーク３００ｍｓという指示が含まれていてもよい。このように、トリガ信号が送信される時刻の時間差とシーク位置の時間差が同一であれば他のユーザが装着している受信装置１０３との触覚コンテンツの再生タイミングを同一とすることができる。
【００４８】
［送信装置の送信タイミングについて］
コンテンツ提供システム１００は、一つの送信装置１０２を備えるものであってもよく、図１に示すように複数の送信装置１０２を備えるものであってもよい。コンテンツ提供システム１００が複数の送信装置１０２を備える場合、制御装置１０１の処理部は次のように送信装置１０２を制御することができる。
【００４９】
図６は、送信装置１０２毎の送信タイミングとシーク位置を示す模式図である。なお、コンテンツ提供システム１００は３基の送信装置１０２を備えているとし、３基の送信装置１０２をそれぞれ送信装置１０２Ａ、送信装置１０２Ｂ及び送信装置１０２Ｃとする。
【００５０】
同図に示すように制御装置１０１の処理部は、時刻０ｍｓに送信装置１０２Ａにトリガ信号ｔ０を送信させ、時刻１００ｍｓに送信装置１０２Ｂにトリガ信号ｔ１を送信させる。また、制御装置１０１の処理部は、時刻２００ｍｓに送信装置１０２Ｃにトリガ信号ｔ２を送信させ、時刻３００ｍｓに送信装置１０２Ａにトリガ信号ｔ３を送信させる。以下、同様に送信装置１０２Ａ〜Ｃのそれぞれから順にトリガ信号が送信される。
【００５１】
トリガ信号ｔ１にはシーク１００ｍｓを示す指示が含まれ、トリガ信号ｔ２にはシーク２００ｍｓを示す指示が含まれている。以下同様に、各トリガ信号には各送信装置１０２から送信されるトリガ信号の送信時刻と同一のシーク位置が含まれている。
【００５２】
これにより、受信装置１０３が送信装置１０２Ａ〜Ｃのうちいずれかから送信されたトリガ信号を受信すると、トリガ信号の受信の遅れは再生位置のシークにより解消され、他のユーザが装着している受信装置１０３との触覚コンテンツの再生タイミングは同一となる。
【００５３】
また、送信装置１０２Ａ〜Ｃのそれぞれがトリガ信号を送信するタイミングは同時ではないため、送信装置１０２Ａ〜Ｃのそれぞれから送信されたトリガ信号が干渉することが防止されている。
【００５４】
なお、ここでは３基の送信装置１０２が設けられる場合について説明したが、送信装置１０２の数が３基ではない場合も同様に、それぞれの送信装置１０２から異なるタイミングで、送信時刻と同一のシーク位置が含まれたトリガ信号が送信されるものとすることができる。
【００５５】
［複数の触覚提示部について］
上記のように、受信装置１０３はユーザに触覚を提示する触覚提示部１１５を備えるが、受信装置１０３が複数の触覚提示部１１５を備える場合に、触覚提示部１１５の動作は互いに異なっていてもよい。
【００５６】
図７は、触覚提示部１１５の動作チャンネルを示す模式図である。同図に示すように、受信装置１０３が備える６基の触覚提示部１１５にはそれぞれｃｈ１〜ｃｈ６の異なる動作チャンネルが設定されている。図８は、記憶部１１３が記憶する触覚コンテンツの例であり、再生時刻と触覚提示時間（図中、黒線）を示すグラフである。同図に示すように、この触覚コンテンツではｃｈ１〜６からのそれぞれの動作タイミングが異なっている。
【００５７】
制御装置１０１の処理部が、送信時刻と同一のシーク位置が含まれているトリガ信号を一定時刻毎に送信（図５参照）することによって、図８に示すようにｃｈ１〜６の各触覚提示部１１５は所定のシーク位置からそれぞれ触覚をユーザに提示する。
【００５８】
上記のように、コンテンツ提供システム１００ではトリガ信号によって、記憶部１１３に記憶されている触覚コンテンツをユーザに提示する。このため、触覚提示部１１５の動作チャンネル数が多数であってもシステムの負荷が小さい。
【００５９】
仮に、複数の触覚提示部１１５用の触覚コンテンツを送信装置１０２から受信装置１０３に送信すると、送信する情報量が多く、送信信号の帯域が不足するおそれがある。これに対し、コンテンツ提供システム１００では送信装置１０２からトリガ信号のみを送信すればよいため、多数の触覚提示部１１５がそれぞれ異なる動作を行う場合であっても問題なく対応が可能である。
【００６０】
なお、触覚提示部１１５の数は６基に限られず、動作チャンネルの数も６つに限られない。多数の触覚提示部１１５が一つの動作チャンネルで動作してもよい。
【００６１】
［ＩＤによる識別について］
記憶部１１３には、複数の触覚コンテンツが記憶されていてもよい。図９は、記憶部１１３に記憶されている複数の触覚コンテンツの例である。同図に示すように記憶部１１３には、２つの触覚コンテンツが記憶され、それぞれＩＤ１及びＩＤ２が付されているものとする。
【００６２】
図１０は、送信装置１０２毎の送信タイミングとシーク位置を示す模式図である。同図に示すように、それぞれの送信装置１０２から送信されるトリガ信号にはシーク位置とＩＤが含まれている。
【００６３】
受信装置１０３では信号受信部１１１がトリガ信号を受信すると、制御部１１４はトリガ信号に含まれるＩＤで特定されている触覚コンテンツを読み出し、トリガ信号に含まれているシーク位置から触覚コンテンツを再生するように触覚提示部１１５を制御する。
【００６４】
このように、コンテンツ提供システム１００では複数の触覚コンテンツを記憶部１１３に記憶させておき、トリガ信号を用いて提示する触覚コンテンツを選択することができる。
【００６５】
［変形例］
送信装置１０２から送信される最初のトリガ信号ｔ０は、必ずしもシーク０ｍｓでなくてもよい。図１１は、トリガ信号の送信タイミングを示す模式図である。同図に示すように、トリガ信号ｔ０はシーク−１００ｍｓ、即ち触覚コンテンツの再生開始時刻（０ｍｓ）より１００ｍｓ早いシーク位置を含むものであってもよい。
【００６６】
この場合、制御部１１４は、信号受信部１１１がトリガ信号ｔ０を受信すると、受信してから１００ｍｓが経過した後に触覚コンテンツの再生を開始する。これにより、信号受信部１１１がトリガ信号ｔ０を受信できなくても、トリガ信号ｔ１を受信すれば触覚コンテンツの再生開始時刻（０ｍｓ）から触覚コンテンツが再生され、トリガ信号を受信できないことによる再生開始の遅延を防止することができる。トリガ信号ｔ０のシーク位置は−１００ｍｓに限られず、−５ｍｉｎ等であってもよい。
【００６７】
制御部１１４は、受信装置１０３と送信装置１０２の距離、即ちトリガ信号の強度に応じて信号受信部１１１での受信感度を調整してもよい。受信装置１０３と送信装置１０２の距離が離れている場合には場合はレートを下げてトリガ信号を確実に到達させることができる。
【００６８】
コンテンツ提供システム１００は、送信装置１０２以外の送信装置を備えていてもよい。例えば、スタッフにトリガ信号を送信可能なサポートデバイスを所持させ、トリガ信号を受信できない受信装置１０３に当該デバイスから直接トリガ信号を送信させてもよい。受信装置１０３がトリガ信号を受信できたか否かは例えば発光部の点灯によって示すことができ、受信装置１０３がトリガ信号を受信できている間は発光部を点灯させ、受信できなくなると発光部を消灯させる、あるいは発光色を変更する等を行ってもよい。
【００６９】
また、受信装置１０３は、赤外線等のトリガ信号を発信する信号送信部をさらに備えていてもよい。制御部１１４は、信号受信部１１１がトリガ信号を受信すると、受信したトリガ信号を信号送信部から他の受信装置１０３に向けて送信させることができる。これにより、送信装置１０２から送信されたトリガ信号を受信できなかった受信装置１０３でも他の受信装置１０３から送信されたトリガ信号を受信することが可能となる。
【００７０】
コンテンツ提供システム１００は、コンテンツ再生停止用の信号を送信する送信装置をさらに具備してもよい。この送信装置は例えばコンテンツを提供する部屋の出口に設けられ、受信装置１０３を装着したユーザが出口から部屋を出ると、制御部１１４がコンテンツの再生を停止するものとすることができる。信号の有効期間は例えば１０秒である。
【００７１】
上記説明において、触覚コンテンツは記憶部１１３に予め記憶されているとしたが、少なくともトリガ信号の受信までに記憶部１１３に記憶されていればよく、送信装置１０２又は他の送信手段から受信装置１０３に送信されたものであってもよい。
【００７２】
また、受信装置１０３がユーザに提示するコンテンツは触覚コンテンツに限られず、映像や音響等のコンテンツであってもよい。この場合も記憶部１１３に記憶されたこれらのコンテンツが、送信装置１０２から送信されるトリガ信号に応じてユーザに提示されるものとすることができる。
【００７３】
さらに、送信装置１０２から受信装置１０３に送信されるトリガ信号は赤外線に限られず、可視光、超音波又は電波等であってもよい。例えば、送信装置１０２はスポットライトであり、その点滅を利用して受信装置１０３にトリガ信号を送信する構成であってもよい。
【００７４】
［ハードウェア構成］
図１２は、制御装置１０１のハードウェア構成を示す模式図である。同図に示すように制御装置１０１はハードウェア構成として、ＣＰＵ１５１、ＧＰＵ１５２、メモリ１５３、ストレージ１５４及び入出力部（Ｉ／Ｏ）１５５を有する。これらはバス１５６によって互いに接続されている。制御装置１０１の処理部は、ＣＰＵ１５１、ＧＰＵ１５２及びメモリ１５３によって実現されている。
【００７５】
ＣＰＵ（Central Processing Unit）１５１は、メモリ１５３に格納されたプログラムに従って他の構成を制御すると共に、プログラムに従ってデータ処理を行い、処理結果をメモリ１５３に格納する。ＣＰＵ１５１はマイクロプロセッサとすることができる。
【００７６】
ＧＰＵ（Graphic Processing Unit）１５２は、ＣＰＵ１５１による制御を受けて、画像処理を実行する。ＣＰＵ１５１はＧＰＵ１５２に並列演算処理を実行させ、特徴量の抽出を高速に行うことが可能である。ＧＰＵ１５２はマイクロプロセッサとすることができる。
【００７７】
メモリ１５３はＣＰＵ１５１によって実行されるプログラム及びデータを格納する。メモリ１５３はＲＡＭ（Random Access Memory）とすることができる。
【００７８】
ストレージ１５４は、プログラムやデータを格納する。ストレージ１５４はＨＤＤ（hard disk drive）やＳＳＤ（solid state drive）とすることができる。
【００７９】
入出力部１５５は制御装置１０１に対する入力を受け付け、また制御装置１０１の出力を外部に供給する。入出力部１５５は、キーボードやマウス等の入力機器やディスプレイ等の出力機器、ネットワーク等の接続インターフェースを含む。
【００８０】
制御装置１０１のハードウェア構成はここに示すものに限られず、制御装置１０１の機能的構成を実現できるものであればよい。また、上記ハードウェア構成の一部又は全部はネットワーク上に存在していてもよい。
【００８１】
なお、本技術は以下のような構成もとることができる。
【００８２】
（１）
ブロードキャスト方式でトリガ信号を送信する送信装置と、
上記送信装置を制御する制御装置と、
それぞれが、上記トリガ信号を受信する信号受信部と、コンテンツを記憶する記憶部と、上記コンテンツをユーザに提示するコンテンツ提示部と、上記トリガ信号に基づいて上記コンテンツ提示部を制御する制御部とを備える複数の受信装置と
を具備するコンテンツ提供システム。
【００８３】
（２）
上記（１）に記載のコンテンツ提供システムであって、
上記制御装置は、第１の再生時刻から上記コンテンツの再生を開始させる第１のトリガ信号を第１の時刻に送信し、第２の再生時刻から上記コンテンツの再生を開始させる第２のトリガ信号を第２の時刻に送信するように上記送信装置を制御し、
上記第１の再生時刻と上記第２の再生時刻の時間差は、上記第１の時刻と上記第２の時刻の時間差と同一である
コンテンツ提供システム。
【００８４】
（３）
上記（１）又は（２）に記載のコンテンツ提供システムであって、
上記コンテンツは触覚コンテンツであり、
上記制御装置は、ユーザに映像コンテンツ及び音響コンテンツの少なくともいずれかを提供し、上記映像コンテンツ及び音響コンテンツの少なくともいずれかと上記触覚コンテンツを同期させるように上記送信装置を制御する
コンテンツ提供システム。
【００８５】
（４）
上記（１）から（３）のうちいずれか一つに記載のコンテンツ提供システムであって、
上記送信装置は、上記トリガ信号を電磁波の放射によって送信する
コンテンツ提供システム。
【００８６】
（５）
上記（４）に記載のコンテンツ提供システムであって、
上記送信装置は、上記トリガ信号を赤外線の放射によって送信する
コンテンツ提供システム。
【００８７】
（６）
上記（１）から（５）のうちいずれか一つに記載のコンテンツ提供システムであって、
ブロードキャスト方式でトリガ信号を送信する複数の送信装置を備え、
上記制御装置は、上記複数の送信装置の間で上記トリガ信号が送信される時刻が異なるように上記複数の送信装置を制御する
コンテンツ提供システム。
【００８８】
（７）
上記（６）に記載のコンテンツ提供システムであって、
上記複数の送信装置は、第１の送信装置と第２の送信装置を含み、
上記制御装置は、第１の再生時刻から上記コンテンツの再生を開始させる第１のトリガ信号を第１の時刻に送信するように上記第１の送信装置を制御し、第２の再生時刻から上記コンテンツの再生を開始させる第２のトリガ信号を第２の時刻に送信するように上記第２の送信装置を制御し、
上記第１の再生時刻と上記第２の再生時刻の時間差は、上記第１の時刻と上記第２の時刻の時間差と同一である
コンテンツ提供システム。
【００８９】
（８）
上記（１）から（７）のうちいずれか一つに記載のコンテンツ提供システムであって、
上記複数の受信装置は、それぞれが複数のコンテンツ提示部を備え、
上記コンテンツは、上記複数のコンテンツ提示部のそれぞれの動作タイミングを含み、
上記制御部は、上記トリガ信号に基づいて上記複数のコンテンツ提示部を制御する
コンテンツ提供システム。
【００９０】
（９）
それぞれが、上記トリガ信号を受信する信号受信部と、コンテンツを記憶する記憶部と、上記コンテンツをユーザに提示するコンテンツ提示部と、上記トリガ信号に基づいて上記コンテンツ提示部を制御する制御部とを備える複数の受信装置にブロードキャスト方式でトリガ信号を送信する送信装置を制御する
制御装置。
【００９１】
（１０）
ブロードキャスト方式で送信されたトリガ信号を受信する信号受信部と、
コンテンツを記憶する記憶部と、
上記コンテンツをユーザに提示するコンテンツ提示部と、
上記トリガ信号に基づいて上記コンテンツ提示部を制御する制御部と
を具備する受信装置。
【符号の説明】
【００９２】
１００…コンテンツ提供システム
１０１…制御装置
１０２…送信装置
１０３…受信装置
１０４…スクリーン
１０５…プロジェクタ
１０６…スピーカ
１１１…信号受信部
１１２…信号解析部
１１３…記憶部
１１４…制御部
１１５…触覚提示部
【図１】
2018061528.tif 000003
【図２】
2018061528.tif 000004
【図３】
2018061528.tif 000005
【図４】
2018061528.tif 000006
【図５】
2018061528.tif 000007
【図６】
2018061528.tif 000008
【図７】
2018061528.tif 000009
【図８】
2018061528.tif 000010
【図９】
2018061528.tif 000011
【図１０】
2018061528.tif 000012
【図１１】
2018061528.tif 000013
【図１２】
2018061528.tif 000014
【国際調査報告】
2018061528.tif 000015
2018061528.tif 000016
2018061528.tif 000017
2018061528.tif 000018